【手続補正書】
【提出日】平成16年8月18日(2004.8.18)
【手続補正１】
【補正対象書類名】明細書
【補正対象項目名】全文
【補正方法】変更
【補正の内容】
【書類名】      明細書
【発明の名称】  光ディスクおよびその記録再生装置
【特許請求の範囲】
【請求項１】  光学的に読み取り得る形態で情報を記録する記録膜を有する記録可能な光ディスクであって、幅ｐが略同じ幅のランド・トラックとグルーブ・トラックが交互に形成されて、スパイラル状に構成され、その一回転が複数のセクタに分割され、該各セクタの先頭部分にはヘッダ領域を設け、該ヘッダ領域はランド・トラックおよびグルーブ・トラック中心に対して左側、右側にそれぞれトラック幅ｐの略１／２ずらして配置された複数のセクタ・マークを有し、
該セクタ・マークが、ＰＬＬロック用の連続データ・パターンからなるＶＦＯと、コードデータ読み出し開始位置を示すための特殊なコードパターンからなるアドレスマークＡＭと、セクタ・アドレス番号ＩＤと、アドレス誤り検出用ＩＥCと、そしてポストアンブルＰＡとからなることを特徴とする、光ディスク。
【請求項２】  ヘッダ領域において、最初の一方の向きにトラック幅ｐの略１／２ずらして配置されたセクタ・マークにはランド・トラック情報が記録され、次の他方の向きにトラック幅ｐの略１／２ずらして配置されたセクタ・マークにはグルーブ・トラック情報が記録されたことを特徴とする、請求項１に記載の光ディスク。
【請求項３】  ランド・トラック情報およびグルーブ・トラック情報はセクタ・アドレス番号ＩＤであることを特徴とする、請求項２に記載の光ディスク。
【請求項４】  セクタ・マークのピットは、深さは略１／６波長であることを特徴とする、請求項１から３までのいずれか１項記載の光ディスク。
【請求項５】  ディスク一回転に１５から４５個のセクタを有することを特徴とする、請求項１から４までのいずれか１項記載の光ディスク。
【請求項６】  前記ランド・トラックとグルーブ・トラックの幅ｐは０．６ミクロンから０．８ミクロンであることを特徴とする、請求項１から５までのいずれか１項記載の光ディスク。
【請求項７】  前記ヘッダ領域においてセクタ・マークは２個または４個配置され、前記ヘッダ領域は５０から５００個の凹凸ピットを有することを特徴とする、請求項１から６までのいずれか１項記載の光ディスク。
【請求項８】  光学的に読み取る形態で情報を記録する記録膜を有する記録可能な光ディスク上に、情報を記録し得る略同じ幅のランド・トラックとグルーブ・トラックを交互にスパイラル状に有し、その一回転が１５ー４５個の複数のセクタに分割され、各セクタはヘッダ領域とデータ記録領域を含み、上記各セクタのヘッダ領域には同期マークＶＦＯ、セクタ・アドレスＩＤ番号等からなる複数のセクタ・マークがランド・トラックおよびグルーブ・トラック中心に対してディスク半径方向にトラック幅の略半分左右にウォブリングされ、最初の右（左）ウォブリングされたセクタ・マークにはランド・トラック情報、次の左（右）にウォブリングされたセクタ・マークにはグルーブ・トラック情報がセクタ・アドレスＩＤに記録されている光ディスクを回転させる手段と、
該光ディスクに光ビームを照射する手段と、
該光ビームにより、上記各セクタのヘッダ領域のウォブリングされたセクタ・マークの同期マークＶＦＯ、セクタ・アドレスＩＤ番号を検出して、所定のデータ記録領域の情報の記録および再生を行う手段とを有する
ことを特徴とする、光ディスク記録再生装置。
【請求項９】  光ディスク上に光ビームを集光する手段と、
該ディスクからの反射回析光を二分割光検出器で受光する手段と、
その減算信号であるプッシュプル差信号を得る手段とを備え、
各セクタのヘッダ領域において、最初の一方の向きにトラック幅ｐの略１／２ずらして配置されたランド・トラック情報が記録されたセクタ・マークと、次の他方の向きにトラック幅ｐの略１／２ずらして配置されたグルーブ・トラック情報が記録されたセクタ・マークをプッシュプル信号（図４（ａ）（ｂ）、３４−３５）で再生し、各セクタのヘッダ領域（図３の２）において、ランドトラック（１６）での最初の右（左）ウォブリングされ、次の左（右）にウォブリングされたセクタ・マーク（２０，２１′）の差信号（図４（ａ）、３４−３５）と、グルーブ・トラック（１７）でのランドトラックとは逆方向にウォブリングされたセクタ・マーク（２０，２１）の差信号（図４（ｂ）、３４−３５）とでは符号の極性が反転していることから、各セクタ毎にランド・トラックとグルーブ・トラックを判断する識別論理手段（２７）を備える
ことを特徴とする、請求項８に記載の光ディスク記録再生装置。
【請求項１０】  光ディスクの各セクタのそのヘッダ領域において、ランド・トラックおよびグルーブ・トラック中心に対してディスク半径方向にウォブリングされたＶＦＯ同期マークあるいはセクタ・アドレス・マークの信号のレベル比較からトラック・オフセットを検出する手段を有することを特徴とする、請求項８又は９に記載の光ディスク記録再生装置。
【発明の詳細な説明】
【０００１】
【発明の属する技術分野】
本発明は、光ディスクおよびその記録再生装置に関する。
【０００２】
【従来の技術】
現在、光ディスク装置で情報を記録する方法としては、ディスク上に案内トラックとして略１／８波長の深さの凹の直線溝（グルーブ・トラックと呼ばれる）が通常１．６ミクロンのトラック・ピッチでスパイラル状に形成されており、記録されるデータ・マークはこの凹のグルーブ・トラック上、もしくはランド・トラックと呼ばれる凹のグルーブ・トラックの間の、どちらかの一方に記録されていた。記録はコード・データで変調されたレーザ光を１ミクロン以下の小さなスポットに集光させ、例えばグルーブ・トラック中心を光学的に検出しながら、光スポットをアクチュエータによってトラックに追従させながら、グルーブ・トラック上に情報を記録する。記録材料としては追記形媒体、例えばＡｓ−Ｔｅ−Ｓｅ、磁気記録媒体、例えばＴｂ−Ｆｅ−Ｃｏ、相変化記録媒体、例えばＧｅ−Ｓｂ−Ｔｅが用いられている。このようにして記録されたグルーブ・トラック上のマークを再生するには、一定出力のレーザ光を記録の場合と同様に１ミクロン以下の小さなスポットに集光させ、グルーブ・トラックを光学的に追跡させながら、データ・マークの再生を行う。記録および再生時にグルーブ・トラックを光学的に追跡する方法として、従来プッシュプル・トラッキング法が用いられている。従来技術を図５（ａ），（ｂ）、図６（ａ），（ｂ）を用いて以下説明する。
【０００３】
図６（ａ），（ｂ）において、従来、プリグルーブ方式では、データの記録再生はセクタと呼ばれる単位で行なわれ、トラック一周でのセクタ数は２０ー４０個程度である。通常トラック・ピッチｐは１．６ミクロンである。各セクタは、ヘッダ領域２と略１／８波長の深さのグルーブ４からなるデータ記録領域３から構成されている。ヘッダ領域２はウォブル・ピット６，７と、図６（ｂ）に示すＰＬＬロック用連続データ・パターンＶＦＯの１１、アドレス・マークＡＭの１２、セクタ・アドレスＩＤの１３、セクタ・アドレスＩＤ部誤り検出用のＩＥＣ１４、そしてポスト・アンブルＰＡ１５から構成されるセクタ・マーク５で構成されている。
【０００４】
図６（ａ）のヘッダ領域２には、トラック中心１０に対して左右にウォブル・ピット６，７が設けられ、これは光学系に少しの調整ずれがあると、プリグルーブ４の反射回折信号から検出されるプッシュプル・トラッキング信号に誤差が発生し、データの記録あるいは再生時に光スポット８はグルーブ・トラック４の中心線１０からずれてしまうという課題を解決するためのものである。すなわちプッシュプル・トラッキング信号に誤差が発生し、光スポット８がトラック中心１０からずれると、光スポット８の１対のウォブル・ピット６，７からの出力はアンバランスになることを利用して、プッシュプル・トラッキング信号の補正を行い、光スポット８が常にトラック中心線上１０に位置するように制御をかけるものである。この方法は特開昭６２−８３４１号においてコンポジット方式光ディスクとして周知の技術である。
【０００５】
さらに最近になって、光ディスクの記録容量を高めるために、図５（ａ），（ｂ）に示すような、ランド・トラック部と凹のグルーブ・トラック部の両トラックに記録することにより、トラック密度を倍増させるいわゆるランド・グルーブ記録方法が検討されている。このランド・グルーブ記録に関しては、例えば文献Ｎ．Ｍｉｙａｇａｗａ，Ｙ．Ｇｏｔｏｈ，Ｋ．Ｎｉｓｈｉｕｃｈｉ，Ｅ．Ｏｈｎｏ  ａｎｄ  Ｎ． Ａｋａｈｉｒａ：“Ｌａｎｄ  ａｎｄ  ｇｒｏｏｖｅ  ｒｅｃｏｒｄｉｎｇ  ｆｏｒ  ｈｉｇｈ  ｔｒａｃｋ  ｄｅｎｓｉｔｙ  ｏｎ  ｐｈａｓｅ  ｃｈａｎｇｅ  ｏｐｔｉｃａｌ  ｄｉｓｋｓ”，Ｊｐｎ．Ｊ．Ａｐｐｌ．  Ｐｈｙｓ．  ３２，５３２４／５３２８（１９９３）に詳述されている。ランド・トラックおよびグルーブ・トラックを光学的に追跡するにはプッシュプル法が用いられるが、トラック・ピッチが従来の半分になる訳であるからトラッキングにはより高い精度が要求され、光学系に少しでも調整ずれがあるとトラック・オフセットが発生し、データの記録あるいは再生時に光スポットはランド・トラックあるいはグルーブ・トラックの中心からずれてしまうという問題が起こる。そのために、例えば、前に述べた特開昭６２−８３４１号で記述されているようなコンポジット方法を用いようとしても、グルーブ・トラックとランド・トラックのトラック幅が略０．７ミクロン程度と小さくなると、トラック中心の左右に２個のウォブル・ピットをグルーブ・トラックあるいはランド・トラックに設けることはできないなど、ランド・グルーブ・ディスクではプッシュプル・トラッキングで発生するトラック・オフセット誤差の補正方法に問題が残されている。
【０００６】
さらにランド・グルーブ・ディスクでは、図５（ａ），（ｂ）に示すように、ランド・トラックとグルーブ・トラックのヘッダ領域に、同期マーク、セクタ・アドレス等のセクタ・マーク５が必要である。しかしランド・トラックとグルーブ・トラックのトラック幅が各々ほぼ０．７ミクロン程度と小さくなると、光スポット径が略１ミクロンあるので、例えばあるグルーブ・トラックのセクタ・マーク５を読み出す場合にその隣のランド・トラックのセクタ・マークの信号漏れの影響があってセクタ情報を正確に再生出来なくなるなど問題が発生する。
【０００７】
【発明が解決しようとする課題】
本発明が解決しようとする課題を、データをグルーブ・トラックとランド・トラックの両方に記録する所謂ランド・グルーブ・ディスクを用いたコンポジット方式光ディスクを例について図５（ａ），（ｂ）を用いて説明する。
【０００８】
図５（ａ），（ｂ）は、光ディスクの記録容量を高めるためにランド・トラック１６と凹のグルーブ・トラック１７との両方に記録することによりトラック密度を倍増させるいわゆるランド・グルーブ記録において、特開昭６２−８３４１号において周知のウォブル・ピットを用いた、プッシュプル・トラッキング信号のオフセット誤差を抑圧するためのコンポジット方式のヘッダ領域の図を示している。図５（ａ），（ｂ）において、ランド・トラック１６あるいはグルーブ・トラック１７を光学的に追跡するには、プッシュプル検出法が用いられるが、ランド・トラック１６とグルーブ・トラック１７のトラック幅は略０．７ミクロンと、図６（ａ）に示す従来のディスクのトラック・ピッチｐ＝１．６ミクロンの略半分になると、トラッキングにはより高い精度が要求され、光学系に少しの調整ずれがあると、光スポット８はグルーブのランド・トラック中心１８、あるいはグルーブ・トラック中心１９からずれてしまうと言う問題が発生する。その補正のためには、特開昭６２−８３４１号において周知の方法であるウォブル・マーク６、７をランド・トラック１６とグルーブ・トラック１７の各セクター１のヘッダ領域２に付加する必要がある。しかしランドとグルーブのトラック１６，１７の幅が略０．７ミクロンと小さくなると、ウォブル・マーク６，７の大きさは、図５（ａ），（ｂ）に示すようにトラック幅を例えばｐ＝０．７ミクロンとすると、その半分、すなわち０．３５ミクロン以下にしなければならなくなるが、集光された光スポット径はＤ＝λ／ＮＡで与えられるので、レーザの波長を例えばλ＝０．６５ミクロン、レンズ開口数をＮＡ＝０．６とすると、Ｄ＝１．１ミクロンとなり、０．３５ミクロン径のウォブル・マーク６，７を再生することは技術的に難しく、その結果プッシュプル・トラッキングで発生するオフセット補正ができなくなるなど、トラック幅の狭いランド・グルーブ・ディスクのデータ記録再生に問題が生じ、実用化の大きな障害になっている。
【０００９】
さらに図５（ａ），（ｂ）において、ランド・トラック１６とグルーブ・トラック１７のヘッダ領域２にはウォブル・マーク６，７の他に、図６（ｂ）に示すＰＬＬロック用連続データ・パターンＶＦＯの１１、アドレス・マークＡＭの１２、セクタ・アドレスＩＤの１３、セクタ・アドレスＩＤ部誤り検出用のＩＥＣ１４、そしてポスト・アンブルＰＡ１５から構成されるセクタ・マーク５が形成されている。しかしランド・トラック１６とグルーブ・トラック１７の幅が略０．７ミクロンと小さくなると、光スポット８が１．１ミクロンと大きいために、例えばランド・トラック１６でのヘッダ領域２の例えばＶＦＯマーク１１を読み出すにさいして隣接グルーブ・トラック１７でのヘッダ領域２の例えばＶＦＯマーク１１の信号の混入を受けやすく、すなわちクロストークが発生し、これはヘッダ領域２の信号読みだしのエラーの大きな原因になって、ランド・グルーブ・ディスクの狭トラック化に問題があり、実用化の大きな障害になっている。
【００１０】
さらに図５（ａ），（ｂ）において、ランド・トラック１６およびグルーブ・トラック１７を光学的にトラッキング追跡する方法としてトラック１６，１７からの光学的回折光を利用したプッシュプル検出法が用いられているが、ランド・トラックとグルーブ・トラックとでは幾何学的形状が凹凸反転しているので、その結果プッシュプル・トラッキング信号の極性が反転する。そのために、光スポット８がランド・トラック１６を追従しているのか、グルーブ・トラック１７を追従しているかを判別して一方のプッシュプル・トラッキング信号の極性を反転する必要である。しかし、ランドかグルーブかを判断する方法が明らかになっていないなどランド・グルーブ記録には実用化の大きな障害になっている。
【００１１】
【課題を解決するための手段】
請求項１に記載の本発明の光ディスクは、
光学的に読み取り得る形態で情報を記録する記録膜を有する記録可能な光ディスクであって、ディスク一回転に、幅ｐが略同じ幅のランド・トラックとグルーブ・トラックが交互に形成されて、スパイラル状に構成され、その一回転が複数のセクタに分割され、該各セクタの先頭部分にはヘッダ領域を設け、該ヘッダ領域はランド・トラックおよびグルーブ・トラック中心に対して左側、右側にそれぞれトラック幅ｐの略１／２ずらして配置された複数のセクタ・マークを有し、
該セクタ・マークが、ＰＬＬロック用の連続データ・パターンからなるＶＦＯと、コードデータ読み出し開始位置を示すための特殊なコードパターンからなるアドレスマークＡＭと、セクタ・アドレス番号ＩＤと、アドレス誤り検出用ＩＥCと、そしてポストアンブルＰＡとからなることを特徴としている。
請求項２に記載の本発明の光ディスクは、
ヘッダ領域において、最初の一方の向きにトラック幅ｐの略１／２ずらして配置されたセクタ・マークにはランド・トラック情報が記録され、次の他方の向きにトラック幅ｐの略１／２ずらして配置されたセクタ・マークにはグルーブ・トラック情報が記録されたことを特徴としている。
上記第１発明及び第２発明の光ディスクは、情報を高密度化して記録または再生することが可能になると共に、記録再生装置によりランド・トラックとグルーブ・トラックとを識別して検出することが容易になる。
請求項３乃至７に、本発明の光ディスクの有利な態様が記載されている。
さらに、請求項８に記載の本発明の光ディスク記録再生装置は、
光学的に読み取る形態で情報を記録する記録膜を有する記録可能な光ディスク上に、情報を記録し得る略同じ幅のランド・トラックとグルーブ・トラックを交互にスパイラル状に有し、その一回転が１５ー４５個の複数のセクタに分割され、各セクタはヘッダ領域とデータ記録領域を含み、上記各セクタのヘッダ領域には同期マークＶＦＯ、セクタ・アドレスＩＤ番号等からなる複数のセクタ・マークがランド・トラックおよびグルーブ・トラック中心に対してディスク半径方向にトラック幅の略半分左右にウォブリングされ、最初の右（左）ウォブリングされたセクタ・マークにはランド・トラック情報、次の左（右）にウォブリングされたセクタ・マークにはグルーブ・トラック情報がセクタ・アドレスＩＤに記録されている光ディスクを回転させる手段と、
該光ディスクに光ビームを照射する手段と、
該光ビームにより、上記各セクタのヘッダ領域のウォブリングされたセクタ・マークの同期マークＶＦＯ、セクタ・アドレスＩＤ番号を検出して、所定のデータ記録領域の情報の記録および再生を行う手段とを有することを特徴としている。
この発明により、各セクタのヘッダ領域のウォブリングされたセクタマークの同期マークＶＦＯ及びセクタ・アドレスＩＤ番号を用いて、データ領域に情報を正しく対応させて記録したり、データ領域からデータ情報を正しく対応させて再生することができる。
また、請求項９に記載の本発明の光ディスク記録再生装置は、
半導体レーザを光ディスク上に集光する手段と、
光ディスクからの反射回析光を二分割光検出器で受光する手段と、
その減算信号であるプッシュプル差信号を得る手段とを備え、
各セクタのヘッダ領域において、最初の一方の向きにトラック幅ｐの略１／２ずらして配置されたランド・トラック情報が記録されたセクタ・マークと、次の他方の向きにトラック幅ｐの略１／２ずらして配置されたグルーブ・トラック情報が記録されたセクタ・マークをプッシュプル信号で再生し、各セクタのヘッダ領域において、ランドトラックでのセクタ・マークの差信号と、グルーブ・トラックでのセクタ・マークの差信号とでは符号の極性が反転していることから、各セクタ毎にランド・トラックとグルーブ・トラックを判断する識別論理手段を備えることを特徴としている。
この発明により、各セクタ毎に光スポットがランド・トラックにあるのかグルーブ・トラックにあるのかを判断しているので、非常に正確に光スポットをランド・トラックあるいはグルーブ・トラック上の中心に位置するように制御することができる。
さらに、請求項１０に記載の光ディスク記録再生装置は、
光ディスクの各セクタのそのヘッダ領域において、ランド・トラックおよびグルーブ・トラック中心に対してディスク半径方向にウォブリングされたＶＦＯ同期マークあるいはセクタ・アドレス・マークの信号のレベル比較からトラック・オフセットを検出する手段を有することを特徴としている。
この発明により、光スポットのトラック中心からの位置ずれを簡単に検出し、常にトラック中心に追従させることができる。
【００１２】
【発明の実施の形態】
以下、本発明の実施の形態を図面を用いて説明する。
【００１３】
図１は本発明による一実施例である光ディスク記録再生装置を説明するためのものである。図１において、相変化膜、あるいは光磁気薄膜２４がディスク基板２５に形成されている。記録再生装置は光ディスク２５を回転させる手段を有する。レーザ素子３０から放射した光はレンズ３３によって記録膜上に光スポット８を形成する。レーザ素子３０は、例えば波長がλ＝０．６３ー０．７８ミクロンの半導体レーザが用いられ、レンズ３３は例えば開口数がＮＡ＝０．５５−０．６０が用いられる。データ信号３２は変調器３１で符号変調され、半導体レーザ３０を変調させ、ディスク基板２５上に形成されているランド・トラック１６あるいはグルーブ・トラック１７上に情報が記録される。図２は本発明による一実施例である光ディスクを説明するためのものである。図２において、データ記録領域部３のランド・トラック１６あるいはグルーブ・トラック１７上にデータを記録あるいは再生するときには、光スポット８は常にランド・トラック中心１８あるいはグルーブ・トラック中心１９上に位置する必要がある。通常これはデータ記録領域３でのランド・トラック１６あるいはグルーブ・トラック１７からのプッシュプル反射回折光を図１に示す２分割光検出器２６で信号３５，３６を検出し、その差動信号のプッシュプル信号の極性を本発明の一実施例である後述するランド・トラックとグルーブ・トラックを本発明の一実施例である識別論理回路２７によって識別することにより、トラッキング信号の極性を制御させ、サーボ回路２８でレンズ・アクチュエータ２９を駆動させて光スポット８が常にランド・トラック１６あるいはグルーブ・トラック１７上の中心１８，１９上を追跡するようにする。
【００１４】
図２（ａ）は、本発明の一実施例であるランド・グルーブ・ディスク構造を示し、各トラックは一周当たり１５ー４０個のセクタ１に分割され、本発明による実施例では、ディスク内周で１９セクタ数、外周で４０セクタ数に分割されて記録密度の向上を行なっている。図２（ａ）において、ランド・トラック１６とグルーブ・トラック１７の幅は略ｐ＝０．７ミクロン、深さは略１／６波長で、このランド・トラック１６とグルーブ・トラック１７が相互にスパイラル状に形成されている。各セクター１のヘッダ領域２には深さ略１／６波長で繰り返して図２（ｂ）に示すセクタマークが記録されている。図２（ｂ）は ＰＬＬロック用連続データ・パターンＶＦＯ１１、コード・データ読み出し開始位置を示すための特殊コード・パターン・アドレス・マークＡＭ１２、セクタ・アドレス番号ＩＤ１３、セクタ・アドレスＩＤ部誤り検出用ＩＥＣ１４、そしてポスト・アンブルＰＡ１５からなるセクタ・マークを示す。本発明の一実施例である図２（ａ）ではこのセクタ・マークが復数個、例えば４個のセクタ・マーク２０，２１，２２，２３がグルーブ・トラック１７のトラック中心１９に対してディスク半径方向に左右にトラック幅の半分、ｐ／２すなわち０．３５ミクロンの振幅でウォブリングされて配置され、同様に隣のグルーブ・トラック１７′でも４個のセクタ・マーク２０′，２１′，２２′，２３′がトラック中心１９′に対してディスク半径方向に左右にトラック幅の半分、すなわち０．３５ミクロンの振幅でウォブリングされて配置されるので、その結果、ランド・トラック１６では、４個のセクタ・マーク２０，２１′，２２，２３′がランド・トラック中心１８に対して左右にトラック幅の半分、すなわち０．３５ミクロンずつウォブリングされてディスク半径方向にはお互いに隣接しないように配置されることになる。本実施例ではセクタマークは２対のウォブルマークから構成されているが１対のウォブルマーク（２０，２１）、（２０′，２１′）で構成させてもよい。本発明によれば、ヘッダ領域において、最初の一方の向きにトラック幅ｐの略１／２ずらして配置されたセクタ・マークにはランド・トラック情報が記録され、次の他方の向きにトラック幅ｐの略１／２ずらして配置されたセクタ・マークにはグルーブ・トラック情報が記録される。
【００１５】
図２（ａ）に示す本発明の一実施例であるランド・グルーブ・ディスク構造において、各セクタのヘッダ領域は、５０個以上で５００個以下の凹凸ピット情報で構成されている。本発明の一実施例では、４個のセクタ・マーク２０，２１，２２，２３がウォブリングされてディスク半径方向にお互いに隣接しないように配置される。このように配置すると、光スポットの中心から１４％になる光スポット径Ｄはレーザの波長をλ、レンズ開口数をＮＡとすると、Ｄ＝λ／ＮＡで与えられるのでλ＝０．６５，ＮＡ＝０．６を代入するとＤ＝１．１ミクロンとなるので、セクタ・マークがトラック中心から０．３５ミクロンずれていても再生は十分出来る。さらにウォブルされたセクタ・マークがディスク半径方向にはお互いに隣接しないように格子状に配置されているので、隣接するトラックのセクタ・マークとのクロストークも発生せず良好な信号再生が可能になる。
【００１６】
図２（ａ）に示す本発明の一実施例であるランド・グルーブ・ディスク構造において、トラックがグルーブかランドかによってプッシュプル・トラッキング・サーボの信号の極性（符号）が反転するので、光スポット８がグルーブかランドのいずれのトラックに位置しているかを常に検出して、サーボ信号の極性を切換える必要がある。光スポット位置がトラックが凹か凸かを検出する本発明による一実施例を以下説明する。
【００１７】
図２（ｂ）に示すように、ＶＦＯ，ＡＭ，ＩＤ，ＩＥＣ，ＰＡマークから成る各セクタ・マークの中のポストアンブル・マークＰＡ、あるいはその一部に、本発明の一実施例であるランドとグルーブを識別するための信号を挿入しておく。これは、例えばグルーブ・トラック１７とその次のグルーブ・トラック１７′のセクタ・マークの中の、例えばＰＡマーク位置に、異なるコード・パターンを、例えばグルーブ・トラック１７ではｍ＝（００００００００）、グルーブ・トラック１７′ではｎ＝（００００１１１１）というコードパターンを１バイト挿入しておくと、本発明による図２（ａ）でウォブリングされたセクタ・マークの構造から明らかなように、光スポット８がグルーブ・トラック１７上を追跡した場合は（ｍ、ｍ、ｍ、ｍ）、あるいは隣のグルーブ・トラック１７′では（ｎ、ｎ、ｎ、ｎ）と同じコード・パターンが連続して検出される。しかし光スポット８がランド・トラック１８上の繰り返しのセクタ・マークを追跡すると、再生信号は（ｍ、ｎ、ｍ、ｎ）と異なったコード・パターンの列が検出される。ランドとグルーブを識別するコードパターンとして、繰り返し挿入されているセクタ・アドレス番号ＩＤ１３を用いることも可能である。このようにして、ディスクを作成時に、グルーブの中心線に対してヘッダ領域でセクター・マークをトラック幅の半分の振幅でウォブリングさせ、そのセクタの一部にトラック一周毎に異なったコード・パターンを挿入しておくと、ドライブでは光スポットがランド・トラックにあるのかグルーブ・トラックにあるのかの判定が容易にでき、図１に示すように、ランド・グルーブ・トラック識別論理回路２７によってトラッキング信号の極性を識別させ、サーボ回路２８を用いてレンズ・アクチュエータ２９を駆動させて光スポット８が常にランド・トラック１６あるいはグルーブ・トラック１７上の中心に位置するようにできる。本発明では、光ビームにより光ディスクの各セクタのヘッダ領域のウォブリングされたセクタ・マークの同期マーク、セクタ・アドレスを検出してデータ記録領域の情報の記録または再生を行う手段を設ける。
【００１８】
図３（ａ），（ｂ）は本発明の他の実施例のディスク構造であって、本実施例では、ヘッダ領域は２個のセクタ・マークで１対のウォブルマークで構成されていてもよい。本発明の一実施例である図３（ａ）に示すランド・グルーブ・ディスク構造において、データ領域３にデータ記録する場合に、そのスポット８がランド１６にあるかグルーブ１７にあるかによってデータ領域３において検出される図１に示す信号３５，３６のプッシュプル・トラッキング・サーボ信号の極性（符号）は反転するので、光スポット８がランドかグルーブかのいずれのトラックに位置しているかを常に検出して、サーボ信号の極性を切換える必要がある。光スポット位置がトラックがランド・グルーブのいずれかを検出する本発明による一実施例を図４（ａ），（ｂ）を用いて以下説明する。
【００１９】
図４（ａ），（ｂ）は各々光スポットがランドおよびグループトラックを走査した場合、図３（ａ）に示す各セクタのヘッダ領域２でのウォブルされたセクタ・マーク２０，２１，２０，２１′を再生した時に得られる図１に示す２分割光検出器２６からの出力信号３４，３５とその差信号３４−３５を示したものである。図４（ａ）は光スポット８がランド・トラック１６上に、図４（ｂ）はグループ・トラック１７に位置する時の出力信号波形を示したものである。これから明らかなように、２分割光検出器２６からの出力３４，３５およびその差信号３４−３５はランド部とグルーブ部によって極性が反転していることがわかる。したがってドライブでは光スポットがランド・トラックにあるのかグルーブ・トラックにあるのかの判定が容易にでき、図１に示すように、各セクタ毎にランド・グルーブ・トラック識別論理回路２７によってトラッキング信号の極性を識別させ、サーボ回路２８を用いてレンズ・アクチュエータ２９を駆動させて光スポット８が常にランド・トラック１６あるいはグルーブ・トラック１７上の中心に位置するようにできる。
【００２０】
さらにランド・グルーブ・トラックから光学的回折によって検出されるプッシュプル・トラッキング信号は、光学系に調整ずれがあるとプッシュプル信号にオフセットが発生しトラックの中心を光スポットは走査しなくなるという問題が起こる。このプッシュプルのオフセット量は本発明の一実施例であるトラック中心にウォブルされた１対のセクタ・マークの２分割検出器２６の信号３５，３６の加算信号の出力レベルを比較することによりオフセットを検出できる。例えば本発明の一実施例では、ウォブルされたセクタ・マーク２０，２１信号レベルを比較することによって検出できる。さらに、光ディスクの各セクタのヘッダ領域において、ランド・トラック及びグルーブ・トラック中心に対してディスク半径方向にウォブリングされた同期マークあるいはセクタ・アドレス・マークの信号のレベル比較からトラック・オフセットを検出する手段が設けられている。これによってデータ記録領域でのプッシュプル信号の極性の補正が可能になり、光スポットは常にトラックの中心を追従することが可能になる。
【００２１】
本発明の実施例の図２に示すように、ランド・トラックとグルーブ・トラックとではプッシュプル信号の極性を変える必要がある。これは先述したように本発明による実施例であるセクタ・マークのＰＡ部に予め隣接トラックで異なるデータ・パターンを挿入しておくことによりランド・グループの判別が可能となる。更に、図３に示すようにこれはウォブルされたセクタマークを２分割光検出器で検出しそのプッシュプル信号からも、ランド・トラックあるいはグルーブ・トラックの判定が可能となり、これによって光スポットは常に所定のトラックの中心を追従することが可能になる。さらにウォブルマークによってプッシュプル信号のオフセット補正も可能になる。本発明による図２（ａ）、図３（ａ）において、ランド・トラックとグルーブ・トラック幅は０．７ミクロンでウォブル幅はその半分の０．３５ミクロンであったが、本発明ではトラック幅は必ずしもそれに限定する必要はない。
【００２２】
【発明の効果】
ランド・トラックとグルーブ・トラックの識別が可能となり、光スポットはトラック・オフセットを発生することなく、正確にトラック中心に追従し、正確にデータ記録再生することができる光ディスクが得られ、かつその光ディスクの高密度化情報を記録再生可能な記録再生装置が得られる。
【図面の簡単な説明】
【図１】
本発明のランド・グルーブ・ディスク再生に用いられる、情報を記録再生する記録再生装置のブロック図。
【図２】
本発明に用いられるランド・グルーブ・ディスクにおいて、１ブロックのセクタ・マークの構成と複数回ウォブリングされたヘッダ領域の構造を示す図。
【図３】
本発明に用いられるランド・グルーブ・ディスクにおいて、１ブロックのセクタ・マークの構成と複数回ウォブリングされたヘッダ領域の構造を示す図。
【図４】
本発明に用いられるランド・グルーブ・ディスクにおいて、ウォブリングマークの２分割光検出器からの出力波形。
【図５】
ランド・トラックとグルーブ・トラックとそのヘッダ領域にウォブル・マークを各々設けてプッシュプルトラックを補償させるためのヘッダ領域とヘッダ領域の構成を説明する図。
【図６】
従来方式のプリグルーブ方式にウォブル・マークを用いたコンポジット方式を適用させた時のディスク上での構造とそのヘッダ領域の構成を示す図。
【符号の説明】
１  セクタ単位、  ２  ヘッダ領域、  ３  データ記録領域、  ４  凹グルーブ・トラック、  ５  セクタ・マーク、  ６，７  ウォブル・ピット、  ８  光スポット、  ９  記録マーク、１０  グルーブ・トラック中心線、  １１  同期マークＶＦＯ、  １２  アドレス・マークＡＭ、  １３  セクタ・アドレス番号ＩＤ、  １４  セクタ・アドレス訂正マークＩＥＣ、  １５  ポストアンブル・マークＰＡ、  １６  ランド・トラック、  １７  グルーブ・トラック、  １８  ランド・トラック中心、  １９  グルーブ・トラック中心、  ２０，２１，２２，２３，２０′，２１′，２２′，２３′  セクタ・マーク、  ２４  記録膜、  ２５  ディスク、  ２６，２６′  ２分割光検出器、  ２７  ランド・グルーブ判定回路、  ２８  サーボ回路、  ２９  トラッキング・アクチュエータ、  ３０  レーザ、  ３１変調回路、  ３２  データ信号、  ３３  レンズ、  ３４，３５  ２分割光検出器からの出力信号